(57)【要約】【課題】浄化槽全体のコンパクト性を維持しつつ、夾雑物除去槽において生じる浮上性のスカムの貯留容量を増大するのに資する技術を提供する。【解決手段】少なくとも、夾雑物除去槽１２１と、当該夾雑物除去槽１２１よりも下流側の処理槽１２３とがハウジング１１０内に設けられた浄化槽１０１につき、夾雑物除去槽１２１内の被処理水１０３から生じた浮上性のスカムが、下流側処理槽１２３の上部１２２に滞留可能に構成する。【選択図】　　　　図２
2004136187.tif 000002
【特許請求の範囲】
【請求項１】
少なくとも、夾雑物除去槽と、当該夾雑物除去槽よりも下流側の処理槽とがハウジング内に設けられた浄化槽であって、
前記夾雑物除去槽内の被処理水から生じた浮上性のスカムが、前記下流側処理槽の上部に滞留可能に構成されたことを特徴とする浄化槽。
【請求項２】
請求項１に記載の浄化槽であって、夾雑物除去槽の下流側に嫌気処理槽が設けられるとともに、前記スカムは、前記嫌気処理槽の上部に、あるいは前記夾雑物除去槽の上部および前記嫌気処理槽の上部の双方に形成されたスカム滞留領域に滞留することが許容されていることを特徴とする浄化槽。
【請求項３】
請求項２に記載の浄化槽であって、前記スカム滞留領域は前記夾雑物除去槽の上部領域および前記嫌気処理槽の上部領域に形成されるとともに、前記スカムは流動規制を受けることなく前記夾雑物除去槽の上部領域側から前記嫌気処理槽の上部領域側へと流動可能に構成されていることを特徴とする浄化槽。
【請求項４】
請求項２または３に記載の浄化槽であって、前記夾雑物除去槽内の被処理水は、前記スカム滞留領域の下部を経由して前記嫌気処理槽の上部側から当該嫌気処理槽に送られることを特徴とする浄化槽。
【請求項５】
請求項２または３に記載の浄化槽であって、前記スカムは、前記夾雑物除去槽の上部領域と当該夾雑物除去槽の上部領域から前記嫌気処理槽の上部への延在領域とによって規定されるスカム滞留領域に滞留可能に構成されるとともに、前記夾雑物除去槽内の被処理水は、前記夾雑物除去槽の下部側を経由して前記嫌気処理槽の下部側から当該嫌気処理槽に移送されることを特徴とする浄化槽。
【請求項６】
請求項５に記載の浄化槽であって、前記嫌気処理槽の上部への延在領域に滞留したスカムは、当該延在領域と前記嫌気処理槽とを区画する区画壁を介し、前記嫌気処理槽へ流動することが規制されることを特徴とする浄化槽。
【請求項７】
請求項２から５までのいずれかに記載の浄化槽であって、前記夾雑物除去槽と嫌気処理槽の下部には前記被処理水よりも比重の大きい固形成分が沈降して滞留する領域が形成されていることを特徴とする浄化槽。
【請求項８】
少なくとも、夾雑物除去槽と、当該夾雑物除去槽よりも下流側の処理槽とがハウジング内に設けられた浄化槽の使用方法であって、
前記夾雑物除去槽内の被処理水から生じた浮上性のスカムを、少なくとも前記下流側処理槽の上部に滞留させるステップを有することを特徴とする浄化槽の使用方法。
【発明の詳細な説明】
【０００１】
【発明の属する技術分野】
本発明は夾雑物除去槽を有する浄化槽の構築技術に関し、詳しくは浄化槽全体のコンパクト性を維持しつつ、夾雑物除去槽において生じる浮上性のスカムの貯留容量を増大するのに資する浄化槽の構築技術に関する。
【０００２】
【従来の技術】
浄化槽の一例として、例えば特開２０００−３５４８５８号公報では、沈殿分離槽、嫌気濾床槽、生物濾過槽、処理水槽、消毒槽の各処理槽がハウジング内に配置された浄化槽の構成が開示されている。沈殿分離槽は夾雑物除去槽とも称呼され、被処理水に対する固液分離処理を遂行する処理槽として規定されるが、かかる沈殿分離槽において発生する浮上性のスカムを効率よく貯留するためのスカム貯留槽が当該沈殿分離槽の上部に設置されている。
【０００３】
上記した従来の浄化槽では、沈殿分離槽におけるスカムをスカム貯留槽によって濃縮貯留することでスカムの捕集効率を向上することが可能であるが、さらに浄化槽全体の処理槽の配置構造を考慮しつつ、限られたスペースの中でスカムの貯留能力を可能な限り増大する要請がある。
【０００４】
【特許文献１】
特開２０００−３５４８５８号公報
【０００５】
【発明が解決しようとする課題】
本発明は、かかる点に鑑みてなされたものであり、浄化槽を大容量化することなくスカムの貯留容量を向上するのに資する浄化槽構築技術を提供することを目的とする。
【０００６】
【課題を解決するための手段】
上記課題を達成するため、各請求項記載の発明が構成される。請求項１に記載の発明によれば、少なくとも、夾雑物除去槽と、当該夾雑物除去槽よりも下流側の処理槽とがハウジング内に設けられた浄化槽が構成される。夾雑物除去槽は、固液分離処理によってハウジングに流入した被処理水中の夾雑物を除去する処理槽として規定される。また下流側の処理槽には各種の機能を奏する処理槽が包含されるが、典型的には嫌気処理槽がこれに該当する。またハウジング内に夾雑物除去槽およびその下流側処理槽を有する浄化槽としては、被処理水の汚濁物質濃度の高低を問わず各種の浄化槽が包含され得る。
【０００７】
ところで夾雑物除去槽内の被処理水からは、槽下方に沈降する汚泥、および槽上方に浮上する汚泥の双方が生じ得る。このうち槽上方へ浮上する汚泥に関しては、本明細書においてスカム（ｓｃｕｍ）として規定される。スカムの態様としては、被処理水よりも比重が小さい汚泥成分や、気泡が付着し、あるいは気泡状に形成されることで被処理水内において所定の浮力を得て浮上する汚泥成分など、様々な形態が包含され得る。
【０００８】
本発明においては、前記夾雑物除去槽内の被処理水から生じた浮上性のスカムは、前記下流側処理槽の上部に滞留可能に構成される。すなわち夾雑物除去槽において生じたスカムを他の処理槽の上部に滞留させることで、夾雑物除去槽の寸法を大きくすることなく、スカムの貯留容量を向上することが可能となる。なおスカムを下流側処理槽の上部のみに滞留する構成、夾雑物除去槽の上部および下流側処理槽の上部に滞留する構成のいずれも好適に採用可能である。またスカムを上部に滞留する下流側処理槽は、単数であっても複数であってもよい。さらに本発明では、夾雑物除去槽で生じたスカムを下流側処理槽の上部に滞留させれば足り、例えば他の処理槽における処理過程で生じたスカムを下流側処理槽の一部または全部の上部において滞留させる構成も好適に包含する。
【０００９】
（請求項２に記載の発明）
請求項２に記載の発明によれば、上記請求項１に記載の浄化槽につき、夾雑物除去槽の下流側に嫌気処理槽が設けられる。そして本発明では、嫌気処理槽の上部に、あるいは夾雑物除去槽の上部および嫌気処理槽の上部の双方にスカム滞留領域が形成され、当該スカム滞留領域にスカムが滞留することが許容されるよう構成される。嫌気処理槽は、その機能的構造上、浄化槽を構成する処理槽の中でも比較的容量が大きく設定されるため、当該嫌気処理槽の上部スペースをスカムの滞留領域として有効利用することにより、スカムを貯留するための専用領域を新設することなくスカム滞留容量を増大し、浄化槽のコンパクト性維持との調和を合理的に図ることが可能となる。なお夾雑物除去槽の上部および嫌気処理槽の上部の双方にスカム滞留領域を形成する場合、両者は単一の滞留スペースを形成してもよいし、あるいは複数の区画構造として形成してもよい。
【００１０】
（請求項３に記載の発明）
請求項３に記載の発明によれば、上記請求項２に記載のスカム滞留領域は前記夾雑物除去槽の上部領域および前記嫌気処理槽の上部領域に形成される。そして被処理水から生じたスカムは、流動規制を受けることなく夾雑物除去槽の上部領域から嫌気処理槽の上部領域へと流動可能に構成される。このようにスカムの流動を規制しない構成により、スカムが嫌気処理槽の上部領域に設定された比較的大容量のスカム滞留領域へスムースに拡散することを促進し、スカムの貯留効率を向上することが可能となる。なお「流動規制を受けることなく」とは、例えば両処理槽の間にバッフル板等の緩衝部材を配置してスカムが夾雑物除去槽から嫌気処理槽へ円滑に流動することに何らかの規制を加えることがない状態を広く包含する。
【００１１】
（請求項４に記載の発明）
請求項４に記載の発明によれば、上記請求項２または３に記載の浄化槽において、夾雑物除去槽内の被処理水は、スカム滞留領域の下部を経由して嫌気処理槽の上部側から嫌気処理槽に送られる。このように構成することで、夾雑物除去槽内の被処理水は、比較的上下方向への曲折が少ない状態で嫌気処理槽へ移送可能となり、上記効果に加えて、夾雑物除去槽から嫌気処理槽への被処理水の流れを極力円滑化することが可能となる。
【００１２】
（請求項５に記載の発明）
請求項５に記載の発明によれば、上記請求項２ないし３に記載の浄化槽において、夾雑物除去槽と嫌気処理槽の上部に滞留したスカムと、夾雑物除去槽から嫌気処理槽へと移送される被処理水の水流とを隔離することが可能となり、被処理水の移流時に貯留中のスカムが水流に巻き込まれて下流側処理槽に移送され、浄化槽全体の処理負荷を徒に増大する事態を極力排除することが可能となる。
【００１３】
（請求項６に記載の発明）
請求項６に記載の発明によれば、請求項５に記載の浄化槽における嫌気処理槽上部への延在領域に滞留したスカムは嫌気処理槽へ流動することが規制される。スカムの流動規制は、延在領域と前記嫌気処理槽とを区画する区画壁を介して行われる。区画壁でスカム滞留領域と嫌気処理槽とを隔絶する構成により、スカム滞留領域のスカムが下流側処理槽に移送される事態を確実に抑制することが可能となる。
【００１４】
（請求項７に記載の発明）
請求項７に記載の発明によれば、上記請求項２から６までのいずれかに記載の浄化槽につき、夾雑物除去槽と嫌気処理槽の下部に、前記被処理水よりも比重の大きい固形成分が沈降して滞留する領域が形成される。これにより被処理水が夾雑物除去槽から嫌気処理槽へ移流する際に、当該被処理水が包含する比重の大きな固形成分が当該被処理水から分離可能となり、上記効果に加えて、さらに被処理水における合理的な固液分離処理が遂行可能とされる。
【００１５】
（請求項８に記載の発明）
請求項８に記載の発明によれば、請求項１と実質的に同等の構成を有する浄化槽に関する合理的な使用方法が構成される。もちろん請求項２から６までに記載された各浄化槽の構成要素と実質的に同等の構成要素を付加し、一層合理的な浄化槽の使用方法を提供することも可能である。
【００１６】
【発明の実施の形態】
以下、本発明の実施の形態である浄化槽１０１および当該浄化槽１０１を用いた汚水の処理方法につき、図面を参照しつつ説明する。本実施の形態に係る浄化槽１０１の全体的な構成が図１に模式的に示される。本実施の形態に係る浄化槽１０１は、浄化槽ハウジング１１０内にて処理流路１１１を通じて相互に連接された各処理槽ないし処理要素を有する。具体的には被処理水が浄化槽ハウジング１１０内に流入する流入部１１３側から順に、流入バッフル部１２０、夾雑物除去槽１２１、嫌気処理槽１２３、生物処理槽１２５、処理水槽１２７、消毒装置１２９の順で配列され、さらに上記浄化槽ハウジング１１０とは別個に形成されるとともに、特に図示しない接続金具を介して当該浄化槽ハウジング１１０に放流ポンプ槽１３１が止着される。そして各処理槽にて適宜処理を受けた被処理水は、当該放流ポンプ槽１３１から放流ポンプ槽１３５を介して浄化槽１０１外部へ放流される。
【００１７】
本実施の形態における浄化槽１０１は、例えば、トイレや台所排水のように比較的汚濁物質濃度の高い汚水、雨水や風呂排水のように比較的汚濁物質濃度の低い汚水等、各種の汚濁物質濃度を有する被処理水（汚水）に対応することができる。
【００１８】
流入部１１３を通じて浄化槽ハウジング１１０内に流入した被処理水については、流入バッフル部１２０において減速されつつ夾雑物除去槽１２１に送られ、当該夾雑物除去槽１２１において、被処理水中の固形物等の夾雑物が固液分離されて当該被処理水から除去処理される。
【００１９】
夾雑物除去槽１２１で処理された被処理水は、次に嫌気処理槽１２３へ移送される。嫌気処理槽１２３内には、有機汚濁物を嫌気処理（還元処理）する嫌気性微生物が付着した濾材１６１が設けられており（図２参照）、被処理水中の有機汚濁物が当該嫌気処理槽１２３内の嫌気性微生物によって適宜嫌気処理されることになる。
【００２０】
嫌気処理槽１２３において嫌気処理された被処理水は、次に生物処理槽１２５に移送される。特に図示しないものの、本実施の形態に係る生物処理槽１２５は、流動性の担体が多数充填されて生物処理を遂行するいわゆる担体流動槽として構成されている。具体的には、当該生物処理槽１２５内には、多数の粒状担体が流動可能に充填された生物処理領域が形成されている。粒状担体は、例えば中空円筒状に形成されるとともに、有機汚濁物を好気処理（酸化処理）する好気性微生物を多数付着させている。そして通常運転時においては、生物処理領域に散気エアを供給して好気処理を遂行する。
【００２１】
嫌気処理槽１２３における嫌気処理、および生物処理槽１２５における好気処理を経た被処理水は、移送流路１１１を通じて処理水槽１２７に送られる。本実施の形態における処理水槽１２７は被処理水における固液分離槽としての機能を併有する要素であり、当該処理水槽１２７において固形成分の沈降が促され、これによって被処理水の沈静化が行われる。次に処理水槽１２７内の被処理水は消毒装置１２９に送られる。消毒装置１２９において消毒処理を受けた被処理水は放流ポンプ槽１３１に送られ、放流用ポンプ１３５を介して浄化槽１０１外部に放流されることとなる。なお、生物処理槽１２５から処理水槽１２７へと向かう被処理水の一部は、エアリフトポンプ１４１および還流流路１４３を経由して流入バッフル部１２０に還流され、夾雑物除去槽１２１以降の各処理槽による汚水処理を再度受けることとなる。
【００２２】
上記浄化槽１０１のうち、流入部１１３、流入バッフル部１２０、夾雑物除去槽１２１および嫌気処理槽１２３の詳細な構成が図２に示される。浄化槽ハウジング１１０内には、バッフル壁１５１、区画壁１５３および区画壁１５７を介し、流入バッフル部１２０、夾雑物除去槽１２１、嫌気処理槽１２３および生物処理槽１２５がそれぞれ区画形成される。
【００２３】
流入バッフル部１２０は浄化槽ハウジング１１０に設けられた流入部１１３と連通する。夾雑物除去槽１２１は、流入バッフル部１２０の下方に形成されるとともに、さらに嫌気処理槽１２３の上方に延在してスカム滞留領域１２２が形成される。すなわち本実施の形態では、スカム滞留領域１２２は、夾雑物除去槽１２１の上方領域および嫌気処理槽１２２の上部領域の双方に形成される。
【００２４】
嫌気処理槽１２３は、スカム滞留領域１２２の下方に形成さるとともに、その内部に濾材１６１が適宜配置される。嫌気処理槽１２３の適所には上下方向に延在するバッフル壁１５５が配置され、このバッフル壁１５５は上記スカム滞留領域１２２の下流側境界端部を規定する。また、当該バッフル壁１５５および区画壁１５７により、嫌気処理槽１２３内にバッフル領域１６３が形成される。区画壁１５７の上方には移流ゲート１６５が配置されて、バッフル領域１６３と生物処理槽１２５とを連通可能とする。なおバッフル領域１６３は、嫌気処理槽１２３内の区画壁１５７中央部に近接する領域において、嫌気処理用の濾材１６３が配置されない状態で、上下方向に柱状に延在する区画領域として形成される。
【００２５】
また上記流入バッフル部１２０、夾雑物除去槽１２１、嫌気処理槽１２３、生物処理槽１２５内の被処理水１０３の水位ＷＬは等水位となるように構成されている。
【００２６】
次に、上記のように構成される本実施の形態に係る浄化槽１０１に関し、その作用および使用方法について図３を参照しつつ詳細に説明する。なお図３において、浄化槽ハウジング１１０内の各処理槽における被処理水の流れは白抜きの矢印で示される。流入部１１３から浄化槽ハウジング１１０内に流入した被処理水は、バッフル壁１５１によって減速されつつ、流入バッフル部１２０を通じて、夾雑物除去槽１２１に送られる。
【００２７】
被処理水は、夾雑物除去槽１２１内に所定時間滞留することで固液分離処理を受ける。被処理水から分離された固形成分は沈降汚泥として夾雑物処理槽１２１の底部に堆積される。夾雑物除去槽１２１底部の沈降汚泥は、図３では符号「Ａ」で示される。さらに夾雑物除去槽１２１内に滞留した被処理水１０３からは、被処理水よりも比重が小さい汚泥成分である浮上性のスカムが発生する。かかるスカムは、被処理水１０３内を浮上して上記したスカム滞留領域１２２に送られる。スカム滞留領域１２２に滞留したスカムは、図３では符号「Ｂ」で示される。
【００２８】
スカム滞留領域１２２は、夾雑物除去槽１２１の上部領域のみならず、嫌気処理槽１２３の上部領域を占有するように構成されている。従って夾雑物除去槽１２１から浮上するスカムの滞留総量を大容量化することが可能とされている。すなわち本実施の形態では、従来のように夾雑物除去槽１２１の上部のみにスカム集積手段を設ける構成に比べ、嫌気処理槽１２３の上部領域を利用することでスカム滞留容量を大幅に増大することが可能とされている。さらに本実施の形態では、嫌気処理槽１２３へ送られる途中、あるいは嫌気処理槽１２３内に送られた被処理水１０３から生じる浮上性のスカムについても、上記スカム滞留領域１２２に滞留することが可能である。
【００２９】
なお夾雑物除去槽１２１の上部領域と嫌気処理槽１２３の上部領域との間には流通規制手段が配置されておらず、スカム滞留領域１２２に集められたスカムは、夾雑物除去槽１２１の上部領域側と嫌気処理槽１２３の上部領域との間を流通規制を受けることなく流通可能であり、スカム滞留領域１２２におけるスカムの捕集効率が向上されている。
【００３０】
さて夾雑物除去槽１２１内の被処理水１０３は、固液分離処理を介して沈降汚泥Ａが除去されると共に、浮上性のスカムＢがスカム滞留領域１２２に滞留された状態で、当該スカム滞留領域１２２の下部であって嫌気処理槽１２３の上方側の移流部１７１から、嫌気処理槽１２３に下向状に移送される。被処理水１０３は、夾雑物除去槽１２１上方から嫌気処理槽１２３の上方側へ比較的緩やかに移流可能とされるため、当該被処理水１０３がスカム滞留領域１２２に滞留中のスカムを巻き込む可能性が極力低減されている。
【００３１】
嫌気処理槽１２３に送られた被処理水１０３は、嫌気処理槽１２３内の濾材１６１によって適宜嫌気処理（還元）処理を受けつつ、嫌気処理槽１２３下方の移流部１７３を通じてバッフル領域１６３に送られ、さらに移流ゲート１６５を通じて生物処理槽１２５へと移流される。なお嫌気処理槽１２３内の被処理水１０３から生じた固形成分は、移流部１７３よりも下方の嫌気処理槽１２３の底部に沈降汚泥として堆積される。嫌気処理槽１２３内の沈降汚泥は、図３では符号「Ｃ」として示される。
【００３２】
生物処理槽１２５に送られた被処理水１０３は、適宜好気性処理（ないし濾過処理）を受けた後、図１に示す処理水槽１２７における沈静化・固液分離処理を受け、さらに消毒装置１２９において消毒処理を受けた後、放流ポンプ槽１３１を介して浄化槽１０１外部に放流される。なお上述のように、図１に示す生物処理槽１２５から処理水槽１２７へと向かう被処理水の一部は、エアリフトポンプ１４１および還流流路１４３を経由して流入バッフル部１２０に還流され、夾雑物除去槽１２１以降の各処理槽による汚水処理を再度受けることとなる。
【００３３】
本実施の形態に係る浄化槽１０１によれば、夾雑物除去槽１２１内の被処理水１０３から生じた浮上性のスカムは、夾雑物除去槽１２１および嫌気処理槽１２３の上部領域に形成された大容量のスカム滞留領域１２２に滞留可能に構成され、夾雑物除去槽１２１の寸法を大きくすることなく、スカムの貯留容量を向上することが可能な合理的な構造が得られることとなった。
【００３４】
（第２の実施形態）
次に本発明の第２の実施形態について図４および図５を参照して説明する。第２の実施形態は、上記した第１の実施形態におけるスカム滞留領域１２２の構成の変更態様に関する。従って第１の実施形態と実質的に同等の要素については、便宜上、詳細な説明を省略する。図４に示すように、第２の実施形態に係る浄化槽２０１では、浄化槽ハウジング２１０内において、バッフル壁２５１、区画壁２５３および区画壁２５７を介し、流入バッフル部２２０、夾雑物除去槽２２１、嫌気処理槽２２３および生物処理槽２２５がそれぞれ区画形成される。
【００３５】
夾雑物除去槽２２１と嫌気処理槽２２３とを区画する区画壁２５３は、嫌気処理槽２２３の上方側に傾斜状に延在する延在壁２５４に連接されるとともに、さらに嫌気処理槽２２３におけるバッフル領域２６３を形成するバッフル壁２５５に一体的に連接される。この結果、夾雑物除去槽２２１が嫌気処理槽２２３の上部領域に延在し、夾雑物除去槽２２１の上部領域および嫌気処理槽２２３の上部領域にスカム滞留領域２２２が嫌気処理槽２２３から隔離された状態で形成される。
【００３６】
上記のように構成される第２の実施形態に係る浄化槽２０１では、図５に示すように、流入部２１３から浄化槽ハウジング２１０内に流入した被処理水２０３は、バッフル壁２５１によって減速されつつ、流入バッフル部２２０を通じて、夾雑物除去槽２２１に送られる。なお図５において、浄化槽ハウジング２１０内の各処理槽における被処理水２０３の流れは白抜きの矢印で示される。
【００３７】
夾雑物除去槽２２１内に所定時間滞留することで被処理水２０３は固液分離処理を受ける。被処理水から分離された固形成分は沈降汚泥として夾雑物処理槽２２１の底部に堆積される。夾雑物除去槽２２１底部の沈降汚泥は、図５において符号「Ａ」で示される。さらに夾雑物除去槽２２１内に滞留した被処理水２０３から発生した浮上性のスカムは、被処理水２０３内を浮上して上記したスカム滞留領域２２２に送られる。スカム滞留領域２２２に滞留したスカムは図５において符号「Ｂ」で示される。
【００３８】
スカム滞留領域２２２は、夾雑物除去槽２２１の上部領域および嫌気処理槽２２３の上部領域を占有するように構成されているが、第１の実施形態と異なり、区画壁２５３、延在壁２５４およびバッフル壁２５５によって嫌気処理槽２２３と隔離されている。従って、上記第１の実施形態と同じく、夾雑物除去槽１２１から浮上するスカムの滞留総量を大容量化することが可能とされるとともに、更に、スカム滞留領域２２２に滞留したスカムを封止し、嫌気処理槽２２３をはじめとする下流側処理槽に流出するのを構造的に防止することが可能である。
【００３９】
一方、夾雑物除去槽２２１内の被処理水２０３は、固液分離処理を介して沈降汚泥Ａが除去されると共に、浮上性のスカムＢがスカム滞留領域２２２に滞留された状態で、区画壁２５３下方の移流部２７１を通じて、夾雑物除去槽２２１の下部領域から嫌気処理槽２２３の下部領域へと送られるとともに、嫌気処理槽２２３内を上向状に移送される。嫌気処理槽２２３に送られた被処理水２０３は、嫌気処理槽２２３内の濾材２６１によって適宜嫌気処理（還元）処理を受けつつ、嫌気処理槽２２３斜め上方のバッフル領域２６３に送られ、さらに移流ゲート２６５を通じて生物処理槽２２５へと移流される。なお嫌気処理槽２２３内の被処理水２０３から生じた固形成分は、嫌気処理槽２２３の底部に沈降汚泥として堆積される。なお本実施の形態では、上記した夾雑物除去槽２２１の底部と嫌気処理槽２２３の底部は共通領域として構成され、嫌気処理槽２２３における沈降汚泥も符号「Ａ」で示される。
【００４０】
生物処理槽２２５に送られた被処理水２０３は、適宜好気性処理（酸化処理）ないし濾過処理を受ける。その後の処理については、上記第１の実施形態と同等であるため、便宜上説明及び図示を省略することとする。
【００４１】
上記第２の実施形態では、夾雑物除去槽２２１および嫌気処理槽２２３上部のスカム滞留領域２２２に滞留したスカムを、延在壁２５４を介して嫌気処理槽２２３から隔離するとともに、さらに夾雑物除去槽２２１から嫌気処理槽２２３へと被処理水２０３を下方から移送することにより、当該スカム滞留領域２２２と被処理水２０３の水流とを隔離する。かかる構成により、被処理水２３を夾雑物除去槽２２１から嫌気処理槽２２３に移流する際、貯留中のスカムが水流に巻き込まれて嫌気処理槽２２３側に移送される可能性を一層確実に排除することが可能となる。なお、スカム滞留領域２２２と嫌気処理槽２２３とを延在壁２５４によって隔離する構成、夾雑物除去槽２２１から嫌気処理槽２２３へと被処理水２０３を下方から移流させることで、当該被処理水２０３の水流をスカム滞留領域２２２中の滞留スカムから隔離する構成は、いずれか一方のみを選択して採用することも可能である。
【００４２】
なお上記第１および第２の実施形態では、生物処理槽１２５，２２５として、それぞれ多数の担体を充填し、当該担体を被処理水に対して相対的に流動させることで生物処理を遂行する例を用いて説明したが、これを他の形態、例えば接触材タイプのものに適宜置換してもよい。
【００４３】
【発明の効果】
本発明によれば、浄化槽を大容量化することなくスカムの貯留容量を向上するのに資する浄化槽構築技術が提供されることとなった。
【図面の簡単な説明】
【図１】本発明の実施の形態に係る浄化槽の全体構成を模式的に示す。
【図２】本発明の実施の形態に係る浄化槽のうち、夾雑物除去槽および嫌気処理槽の詳細な構造を示す部分図である。
【図３】上記夾雑物除去槽および嫌気処理槽における汚水処理時の構成を主体として示す部分図である。
【図４】第２の実施の形態に係る浄化槽に関する夾雑物除去槽および嫌気処理槽の詳細な構造を示す部分図である。
【図５】第２の実施の形態に係る浄化槽に関する夾雑物除去槽および嫌気処理槽における汚水処理時の構成を主体として示す部分図である
【符号の説明】
１０１　浄化槽
１０３　被処理水
１１０　浄化槽ハウジング
１１１　処理流路
１１３　流入部
１２０　流入バッフル部
１２１　夾雑物除去槽
１２２　スカム滞留領域
１２３　嫌気処理槽
１２５　生物処理槽
１２７　処理水槽
１２９　消毒装置
１３１　放流ポンプ槽
１３５　放流用ポンプ
１４１　エアリフトポンプ
１４３　還流流路
１５１　バッフル壁
１５３　夾雑物除去槽と嫌気処理槽との区画壁
１５５　嫌気処理槽のバッフル壁
１５７　嫌気処理槽と生物処理槽との区画壁
１６１　嫌気濾材
１６３　バッフル領域
１６５　移流ゲート
１７１　夾雑物除去槽から嫌気処理槽への移流部
１７３　嫌気処理槽バッフル領域への下方移流部
Ａ　沈降汚泥
Ｂ　スカム
Ｃ　沈降汚泥
【図１】
2004136187.tif 000003
【図２】
2004136187.tif 000004
【図３】
2004136187.tif 000005
【図４】
2004136187.tif 000006
【図５】
2004136187.tif 000007